(57)【特許請求の範囲】
【請求項１】
圧電素子で加振して液体を噴射するノズル孔部分を持つ液室内に液体を充填して使用待ちの状態とし、
前記使用待ちの状態から一定時間が経過したことを検知した時点で、前記ノズル孔部分における前記液室内に充填された前記液体に接している内側の部分と反対側の外側の部分を液体に浸漬した待機状態とし、
前記待機状態のままでいる時間を計測して一定時間が経過したことを検知した時点で、前記ノズル孔部分に接する前記液体を、前記圧電素子で通常の液体噴霧時の周波数よりも高い周波数で加振して、前記ノズル孔部分を洗浄するクリーニング処理を実行することを特徴とする液体噴射装置のメンテナンス方法。
【請求項２】
前記ノズル孔部分を洗浄するときに、前記ノズル孔部分が浸漬されている液体の温度を上げることを特徴とする請求項１に記載の液体噴射装置のメンテナンス方法。
【請求項３】
前記ノズル孔部分を洗浄する前に、前記液室を上下反転させることを特徴とする請求項１に記載の液体噴射装置のメンテナンス方法。
【請求項４】
液室に充填された液体を圧電素子で加振してノズル孔部分から噴射して画像を形成する液体噴射装置と、
前記液室の外側で前記ノズル孔部分を液体に浸漬させる浸漬手段と、
前記ノズル孔部分に接する前記液体を、前記圧電素子で通常の液体噴霧時の周波数よりも高い周波数で加振するクリーニング手段と、
前記液室内に液体を充填した時点から所定時間が経過したことを検知して、前記クリーニング手段を作動させる制御手段と、
を有することを特徴とする画像形成装置。
【発明の詳細な説明】
【０００１】
【発明の属する技術分野】
この発明は、被処理材料に液体を噴霧して塗布するための複数の小ノズル孔が詰まるのを防止する機能を有する液体噴射装置における、液体噴射装置のメンテナンス方法及び画像形成装置に関する。
【０００２】
【従来の技術】
従来、特開平１０−２３９８２４号に例示された、感光材料と受像材料とを用いて画像形成処理を行う画像形成装置が提案されている。
【０００３】
この画像形成装置は、画像形成用処理液の塗布装置で被塗布材料である感光材料に処理液である画像形成用処理液（ここでは水）を塗布する液処理を施した後、感光材料に受像材料を重ね合わせた状態で熱現像転写部により加熱し、感光材料を熱現像すると共に受像材料へ画像を転写して、所定の画像を受像材料に形成（記録）する熱現像転写処理を行う。
【０００４】
この画像形成装置では、感光材料に非接触で処理液を塗布する為、図１５及び図１６に例示する画像形成用処理液の塗布装置５１０を用いている。
【０００５】
この画像形成用処理液の塗布装置５１０は、一対の駆動ローラ５４２に巻き掛けた無端搬送ベルト５４４上に感光材料５１６を載置して搬送しながら、感光材料５１６の上表面に液体噴射装置５１２で処理液を噴霧して塗布する。
【０００６】
さらに、この画像形成用処理液の塗布装置５１０は、処理液を塗布した感光材料５１６を無端搬送ベルト５４４上に載置して所定時間搬送する間に、無端搬送ベルト５４４の下部から加熱プレート５４６で所定温度に加熱して感光材料５１６の液処理を実行する。
【０００７】
このとき、液体噴射装置５１２は、図示しない流体回路で処理液の供給を受けながら、処理液を噴霧して感光材料５１６に塗布する。
【０００８】
このため、液体噴射装置５１２は、その内部に設けた液室５２１Ａ内に、流体回路で処理液が供給される。そして、液室５２１Ａの底部に配置したノズル板５２２を振動させることにより、液室５２１Ａ内の液体の圧力が高まったときにノズル板５２２に線状に並ぶよう穿孔した多数のノズル孔５２４（図１６に示す）から液滴を噴射する。
【０００９】
この液体噴射装置５１２用の流体回路は、液体噴射装置５１２で液滴を噴射する使用時に液室５２１Ａ内に処理液を充填し、大気圧に対して負圧となる所定負圧力を保持しながら処理液の供給を継続する。
【００１０】
これと共に、液体噴射装置５１２の動作を一時停止したときは、液室５２１Ａ内の処理液が所定負圧力となる状態を維持してノズル孔５２４から処理液が漏れ出さないようにする。
【００１１】
また、液体噴射装置５１２の使用終了時には、液室５２１Ａ内の処理液を抜き取るように構成する。
【００１２】
【発明が解決しようとする課題】
上述のような液体噴射装置５１２は、薬剤を溶媒に溶解させた画像形成用処理液を噴射して被塗布材料に処理液を塗布するのにも使用される。このように使用される液体噴射装置５１２では、その動作の一時停止のときに各ノズル孔５２４の小孔内に表面張力で維持された処理液の液面が臨んでいるので、このノズル孔５２４内の液面から処理液の溶媒が蒸発して、ノズル孔５２４の口周りに処理液の溶質が析出する。
【００１３】
また、液体噴射装置５１２の液室５２１Ａ内から処理液を抜き取った液体噴射装置５１２の使用終了後でも同様に、各ノズル孔５２４の小孔部分に表面張力で残留している処理液の液面から処理液の溶媒が蒸発して、ノズル孔５２４の口周りに処理液の溶質が析出する。
【００１４】
このような液体噴射装置５１２では、相当量の薬剤を溶解した処理液を使用する場合は溶質が析出してノズル孔５２４を狭めたり塞いだりして液体噴射装置５１２を駆動しても溶質が析出して塞がれたノズル孔５２４から処理液を噴射できなくなる場合がある。
【００１５】
このため、作業員が、液体噴射装置５１２の動作が所定時間継続したとき又は液体噴射装置５１２の動作が停止されてから所定時間経過した時等の必要時に、ノズル孔５２４に析出した溶質を取り除くよう液体噴射装置５１２のノズル孔５２４部分を洗浄して、全ての微細なノズル孔５２４が貫通しする良好な状態を維持するため面倒なメンテナンス作業が必要になる。
【００１６】
本発明は上記事実を考慮し、ノズル孔が塞がらないように自動的に洗浄可能な機能を備えた液体噴射装置において、必要時にメンテナンス動作を自動的に実行可能にし、作業性を向上させた液体噴射装置のメンテナンス方法及び画像形成装置を新たに提供することを目的とする。
【００１７】
【課題を解決するための手段】
本発明の請求項１に記載の液体噴射装置のメンテナンス方法は、圧電素子で加振して液体を噴射するノズル孔部分を持つ液室内に液体を充填して使用待ちの状態とし、前記使用待ちの状態から一定時間が経過したことを検知した時点で、前記ノズル孔部分における前記液室内に充填された前記液体に接している内側の部分と反対側の外側の部分を液体に浸漬した待機状態とし、前記待機状態のままでいる時間を計測して一定時間が経過したことを検知した時点で、前記ノズル孔部分に接する前記液体を、前記圧電素子で通常の液体噴霧時の周波数よりも高い周波数で加振して、前記ノズル孔部分を洗浄するクリーニング処理を実行することを特徴とする。
【００１８】
上述のようなメンテナンス方法によれば、ノズル孔部分を、その液室に向いた内側から外部に向いた外側に渡って処理液又は洗浄液等を存在させ、ノズル孔部分が乾燥しないように保管できる。各ノズル孔部分内に液体の溶質が析出するのを抑制して各ノズル孔部分が塞がらないようにし、次に液室内の液体をノズル孔部分から噴射する動作を行う際、ノズル孔部分から液体を適切に噴射可能とする。さらに、圧電素子の加振によって、ノズル孔部分の孔内に付着した析出物等が洗浄されて取り除かれる。
【００１９】
このため液体噴射装置を閉散処理に用いても、この液体噴射装置のメンテナンス用制御方法によりメンテナンスを自動的に実行してノズル孔の目詰まりを防止し、液体噴射装置の良好な使用状態を維持できる。
【００２０】
本発明の請求項２に記載の液体噴射装置のメンテナンス方法は、前記ノズル孔部分を洗浄するときに、前記ノズル孔部分が浸漬されている液体の温度を上げることを特徴とする。
【００２１】
上述のようなメンテナンス方法によれば、ノズル孔部分の内周部に析出した溶質が溶解し易くなるので、ノズル孔の目詰まりを防止できる。
【００２２】
よって、液体噴射装置を長期に渡って液体の噴射動作を行わせないまま保管しても、各ノズル孔内に液体の溶質が析出するのを抑制して各ノズル孔が塞がらないようにし、次に液室内の液体をノズル孔から噴射する動作を行う際、ノズル孔から液体を適切に噴射可能とする。
【００２３】
このため液体噴射装置を閉散処理に用いても、この液体噴射装置のメンテナンス用制御方法によりメンテナンスを自動的に実行してノズル孔の目詰まりを防止し、液体噴射装置の良好な使用状態を維持できる。
【００２４】
本発明の請求項３に記載の液体噴射装置のメンテナンス方法は、前記ノズル孔部分を洗浄する前に、前記液室を上下反転させることを特徴とする。
【００２５】
上述のようなメンテナンス方法によれば、ノズルを覆うキャップを用いる事無くノズル孔部分を待機状態とし、さらにクリーニング処理可能となる。
【００２６】
よって、液体噴射装置における液体の噴射動作を再開したとき各ノズル孔が洗浄された直後の状態であるので、次に液室内の液体をノズル孔から噴射する動作を行う際、ノズル孔から液体を適切に噴射可能とする。
【００２７】
このため液体噴射装置を閉散処理に用いても、この液体噴射装置のメンテナンス用制御方法によりメンテナンスを自動的に実行してノズル孔の目詰まりを防止し、液体噴射装置の良好な使用状態を維持できる。
【００２８】
本発明の請求項４に記載の画像形成装置は、液室に充填された液体を圧電素子で加振してノズル孔部分から噴射して画像を形成する液体噴射装置と、前記液室の外側で前記ノズル孔部分を液体に浸漬させる浸漬手段と、前記ノズル孔部分に接する前記液体を、前記圧電素子で通常の液体噴霧時の周波数よりも高い周波数で加振するクリーニング手段と、前記液室内に液体を充填した時点から所定時間が経過したことを検知して、前記クリーニング手段を作動させる制御手段と、を有することを特徴とする。
【００２９】
上述のような画像形成装置によれば、制御手段が、液体噴射装置の液室内に液体を充填した時点から所定時間が経過したことを検知して、クリーニング手段を作動させる。クリーニング手段は、ノズル孔部分又はノズル孔部分に接する液体を、圧電素子で通常の液体噴霧時の周波数よりも高い周波数で加振する。これにより、液体がノズル孔部分を通過する方向に流動して、ノズル孔部分の内周部に付着した析出物等を押し流すようにして良好に洗浄する。
【００３０】
よって、液体噴射装置による液体の噴射動作の継続中に各ノズル孔が目詰まりするのを防止し、液体噴射装置のメンテナンスを自動的に実行してノズル孔の目詰まりを防止し、液体噴射装置の良好な使用状態を維持できる。
【００３１】
【発明の実施の形態】
以下、本発明の液体噴射装置に係わる第１実施の形態につき図１乃至図８によって説明する。
【００３２】
（液体噴射装置）
この液体噴射装置３１２は、その液室３２１Ａ内に液体を供給する為の図示しない流体回路部と相俟って液体の塗布装置を構成する。
【００３３】
この液体噴射装置３１２は、図５乃至図８に示すところから分かるように、略直方体の装置本体の内部に長手方向に沿って液室３２１Ａが設けられている。また、この装置本体の底面部には、液室３２１Ａにおける隔壁の一部となるノズル板３２２が配設されている。
【００３４】
すなわち、液体噴射装置３１２は、装置本体の構造部材に、その長手方向に沿って底面に開放する長溝を形成し、その底面の開口を、弾性変形可能な長方形状の薄板を屈曲して形成したノズル板３２２で塞いで、一体構造に構成する。
【００３５】
この液体噴射装置３１２における装置本体の構造部材は、一対のフレーム部材３１４を重ね合わせて図示しないボルトでねじ止めすることにより構成する。
【００３６】
各フレーム部材３１４は、左右対称に形成され、それぞれてこ板３２０、側壁３１２Ａ、支持部３１２Ｂ及び頂壁３１２Ｃが一体に形成されている。
【００３７】
各てこ板３２０は、矩形長板状に形成され、液体噴射装置３１２の各側壁３１２Ａの下部に一体に形成された細幅で弾性変形可能な支持部３１２Ｂで支持されるように、各支持部３１２Ｂに一体に続けて形成されている。
【００３８】
各フレーム部材３１４は、各側壁３１２Ａの上部に一対の頂壁３１２Ｃを一体に形成する。この各頂壁３１２Ｃの一部は、両横側に突出する形状とされており、この突出した頂壁３１２Ｃの下側と、てこ板３２０の外側端部との間に、アクチュエータとなる複数の圧電素子３２６（本実施の形態では、片側に３本づつ）の両端部が接着されて架設されている。
【００３９】
液体噴射装置３１２では、ノズル板３２２が、その直線状に並ぶノズル孔３２４郡を設けた部分を外側へ向けて台形状に突出させるよう形成され、直線状に並んだノズル孔３２４郡の長手方向と平行な両側部を、それぞれ図８に示すように一対のてこ板３２０に接着剤等で貼着して配置されている。
【００４０】
このノズル板３２２には、液室３２１Ａ内に満たされた処理液（画像形成用薬剤を溶かした液体）を噴射するための複数のノズル孔３２４（例えば直径数１０μｍ）が、一定の間隔で直線状に並べて穿孔されている。
【００４１】
この液体噴射装置３１２は、その底面部における直線状に並んだ複数のノズル孔３２４が、例えば図６乃至図８に示す感光材料１６の搬送方向Ａと交差する方向に合わせて配置され、直線状に並んだ複数のノズル孔３２４が感光材料１６の幅方向全体に渡って対応するよう設定されている。これによって後述するように、これらノズル孔３２４から液室３２１Ａ内の処理液が、搬送される感光材料１６の全面に塗布可能となる。
【００４２】
また図５及び図６に示すように、ノズル板３２２の長手方向両端部と一対のフレーム部材３１４両端部とで区画された各部分には、それぞれ薄肉の封止板３２８を貼着する。
【００４３】
この封止板３２８は、ノズル板３２２の各端部と一対のフレーム部材３１４の各端部との間に渡って塗布した、例えばシリコンゴム系の接着剤である弾性接着剤によって貼着されている。
【００４４】
これにより、ノズル板３２２の両端の動きを阻害せずに、封止板３２８と、ノズル板３２２の各端部と、一対のフレーム部材３１４の各端部との間が弾性的に密封されることになる。
【００４５】
この液体噴射装置３１２は、その長手方向両端部の各封止板３２８に、それぞれ液室３２１Ａに連通する導液管３３１、３４７が配設されている。なお、フレーム部材３１４の両端部に、液室３２１Ａ内に連通する各導液管を設けても良い。
【００４６】
このように構成された液体噴射装置３１２は、その各圧電素子３２６に電源から通電されると、図８に示すように圧電素子３２６が伸び、てこ板３２０を支持部３１２Ｂ廻りに回動させる。これにより圧電素子３２６が、ノズル板３２２を弾性変形させながらノズル板３２２の中央部を矢印Ｂ方向に沿って上昇させ、液室３２１Ａ内の処理液の圧力を高めて、直線状に並んだ複数のノズル孔３２４から少量の処理液Ｌを一括して線状に噴射させる。
【００４７】
（液体噴射装置のキャップ）
図３及び図４の概略斜視図に示すように、液体噴射装置３１２の霧化動作を行わない不使用時に、ノズル孔３２４部分を密閉状態にカバーするためのキャップ３５１を用意する。
【００４８】
このキャップ３５１は、ノズル孔３２４部分に処理液の溶質が析出するのを防止する待機状態を実現する手段と、ノズル孔３２４部分を洗浄するための洗浄手段（クリーニング手段）を兼ねる断面略Ｕ字状の皿状の部材で、その開口の周端部に液体噴射装置３１２に密着するための密閉パッキン３５３を設けて構成されている。
【００４９】
そして、キャップ３５１は、図示しない待機動作用の駆動装置によって液体噴射装置３１２における不使用のときの所要時にノズル孔３２４部分を内包するようにカバーする位置に移動され、また液体噴射装置３１２が処理液霧化動作を行うときには動作の邪魔とならないようにノズル孔３２４の下方に離脱するよう移動されてノズル孔３２４から噴射され感光材料１６に付着されなかった処理液の液滴受けとして用いられるように装着される。
【００５０】
またキャップ３５１は、待機動作用の駆動装置によって、液体噴射装置３１２のノズル孔３２４部分をカバーする位置に移動された状態で、図示しないが、キャップ３５１の内部に処理液又は必要に応じて洗浄液等を充填してノズル孔３２４部分を処理液又は洗浄液等に浸漬可能に構成する。なお図示しないが、キャップ３５１には、ノズル孔３２４部分が処理液又は洗浄液等に浸漬された待機状態となったことを検出する検出手段を装着する。
【００５１】
これと共に、キャップ３５１又は待機動作用の駆動装置には、キャップ３５１内に貯まった処理液又は洗浄液等を所定の廃液場所へ廃液可能なように、配管及びポンプを設けて構成する。
（液体噴射ヘッド拭取り手段）
図３及び図４に示すようにクリーニング手段の一つとして、液体噴射ヘッド拭取り手段を設けることができる。この液体噴射ヘッド拭取り手段は、キャップ３５１に対し、矩形に形成されたゴム製の拭取り部材３５７を、図示しない駆動装置でノズル孔３２４の列に沿う方向に往復するよう駆動操作可能に装着して構成する。
【００５２】
この拭取り部材３５７は、キャップ３５１の皿状の内部でノズル孔３２４の列に沿って駆動されることにより、拭取り部材３５７の一部がノズル板３２２におけるノズル孔３２４の列部分の外側面に摺接して、処理液又は洗浄液等に浸漬されたとき等にノズル孔３２４の外側部分に付着した液滴を拭取る。
【００５３】
（液体噴射装置の流体回路部）
上述のように構成された液体噴射装置３１２の液室３２１Ａ内には、図示しない流体回路部によって処理液を供給する。
【００５４】
この液体噴射装置３１２用の流体回路部は、液体噴射装置３１２で液滴を噴射する使用時に液室３２１Ａ内に液体を充填し、所定の負圧値の圧力を保持しながら液体の供給を継続する機能を有する。
【００５５】
この液体噴射装置３１２用の流体回路部は、液体噴射装置３１２から所定距離下方の位置に処理液を貯留するメインタンク及びサブタンクとを配置し、これらのメインタンク及びサブタンクと液体噴射装置３１２との間を管路で接続する。さらに流体回路部は、その管路の中間部に可変容量ポンプを介在させて送液量を調整しながらメインタンク内に臨む吸液口からサブタンク内に臨む排液口まで処理液を送液可能に構成する。
【００５６】
このメインタンクは、処理液を貯留し、保管しておくために大型の容器に構成されている。
【００５７】
またサブタンクは、液体噴射装置３１２に処理液を一定の圧力で供給するためのもので、比較的小型の容器に構成されている。このサブタンクには、その内部に貯留された処理液の液面を液体噴射装置３１２に対して一定の高さ位置に設定する液面位置設定手段として、サブタンク内に処理液を供給してオーバフローさせメインタンクに戻す構成を設ける。
【００５８】
この液体噴射装置３１２用の流体回路部では、可変容量ポンプをコントローラで駆動若しくは停止又は送液量の変更調整を制御すると共に、流体回路部の管路の随所に設置された図示しないバルブを開閉制御することにより、液体噴射装置３１２の液室３２１Ａ内に処理液を供給し、又は液室３２１Ａ内から処理液を排液可能に構成されている。
【００５９】
（液体の塗布装置の作用及び動作）
次に、上述のように構成した液体噴射装置３１２を利用した塗布装置の機構上の作用及び動作について説明する。
【００６０】
この塗布装置では、使用前の状態においては、液体噴射装置３１２の液室３２１Ａ内に処理液が充填されていない空の状態にある。
【００６１】
次に、塗布装置３１０は、その使用を開始するために、液体噴射装置３１２の液室３２１Ａ内に液体を充填する。この場合には塗布装置３１０は、図示しない流体回路部の所定の開閉弁を開き、可変容量ポンプを駆動して、処理液を液室３２１Ａ内に充填して準備状態とする。
【００６２】
なお、準備状態へ移行する際には、液体噴射装置３１２は、その動作を停止され、かつ液体噴射装置３１２にキャップ３５１を被せておき、処理液を液室３２１Ａに通す際に複数のノズル孔３２４から処理液が漏れた場合でもキャップ３５１で受けて、液体噴射装置３１２から処理液を塗布する対象物側に不用意に処理液が付着するのを防止する。
【００６３】
次に、塗布装置３１０を準備状態から使用状態に移行させる場合について説明する。
【００６４】
この場合には、まず、塗布装置３１０は、流体回路部における所定の開閉弁を閉じる。すると、液体噴射装置３１２の液室３２１Ａ内部の処理液は、サブタンクの液面からの高さに比例した所定値の負圧となる。
【００６５】
このように液室３２１Ａ内が所定値の負圧となっても、液体噴射装置３１２の各ノズル孔３２４の部分で処理液の表面張力が働くので、各ノズル孔３２４から空気が液室３２１Ａ内に逆流することを防止できる。これと共に、液室３２１Ａ内が所定値の負圧となるので、各ノズル孔３２４から処理液が漏れ出すことを防止できる。
【００６６】
そして、所定の開閉弁が閉じられることにより、各ノズル孔３２４から処理液が漏れ出すことが無い状態において、液体噴射装置３１２に被せられているキャップ３５１を図示しない待機動作用の駆動装置で取り外して回避位置に移動する。
【００６７】
これと共に、塗布装置３１０は、可変容量ポンプを駆動し、液体噴射装置３１２が噴射する処理液の量より多い量の処理液をメインタンクからサブタンクに供給する。これにより、サブタンクは、液体噴射装置３１２の駆動中では常に処理液が堰からオーバフロウする状態となり、サブタンク内の液面の高さが一定となる。
【００６８】
よって、サブタンクの液面から液体噴射装置３１２までの高さを常に一定に保つことができるので、液室３２１Ａ内の負圧を常に所定の一定値に保持して、液体噴射装置３１２から処理液を適正に噴射可能な状態を安定して維持できる。
【００６９】
この塗布装置３１０では、前述のような操作により使用状態としてから、液体噴射装置３１２を駆動し、処理液の塗布動作を実行する。
（待機状態を実現する手段の作用及び動作）
次に、塗布装置３１０の処理液の塗布動作を終了してから一定時間放置する場合には、液体噴射装置３１２と可変容量ポンプとを停止する。これと共に、回避位置にあるキャップ３５１を図示しない待機動作用の駆動装置で液体噴射装置３１２に被せる。
【００７０】
このときキャップ３５１は、その開口の周端部の密閉パッキン３５３を液体噴射装置３１２に密着させて被せるので、液体噴射装置３１２の複数のノズル孔３２４を設けた部分が密閉パッキン３５３内に密閉される。さらに、キャップ３５１内に処理液を充填してノズル孔３２４の部分を処理液に浸漬してノズル孔３２４部分に溶質の析出を防止する待機状態にセットして、次の使用時まで待機する。このようにすることにより、ノズル孔３２４部分で溶媒が蒸発して溶質が析出するのを防止できる。
【００７１】
なお、キャップ３５１内に処理液を充填した場合には、次に塗布装置３１０を使用する前に、キャップ３５１内の処理液を排液してから、ノズル孔３２４部分を液体噴射ヘッド拭取り手段としての拭取り部材３５７を駆動してノズル孔３２４の外側部分に付着している液滴を拭取る。
（液体噴射装置のクリーニング手段の作用及び動作）
次に、液体噴射装置３１２のノズル孔３２４に、例えば図１０に示すように溶質Ｙが析出したときに、これをクリーニング（洗浄）する場合について説明する。
【００７２】
この場合には、前述のように塗布装置３１０を使用状態にし、液体噴射装置３１２のノズル孔３２４部分をキャップ３５１で密閉状態にカバーし、さらにキャップ３５１内に処理液又は洗浄液等を充填してノズル孔３２４部分を処理液又は洗浄液等の中に浸漬した状態にセットする。
【００７３】
これによりノズル孔３２４部分は、その液室３２１Ａに向いた内側から外部に向いた外側に渡って処理液又は洗浄液等が存在する状態となる。
【００７４】
次に、液体噴射装置３１２の複数の圧電素子３２６を、通常の処理液噴霧時では数１０Ｈｚの周波数で駆動するところを、同じ駆動回路を利用して数ＫＨｚの周波数で駆動する。なお、通常の処理液噴霧時における数１０Ｈｚの周波数で駆動して洗浄しても良い。
【００７５】
すると、ノズル板３２２の高い振動により、ノズル孔３２４部分は、その液室３２１Ａに向いた内側と外部に向いた外側とに渡って処理液又は洗浄液等が存在するため、処理液又は洗浄液等が各ノズル孔３２４を高速で往復するよう流通するから、ノズル孔３２４の孔内に析出している溶質Ｙが処理液又は洗浄液等との抵抗によって図９に示すように洗浄されて取り除かれる。
【００７６】
なお、この洗浄動作の際に、キャップ３５１内に処理液を満たして洗浄作業を行えば、次に処理液を噴霧する動作に移るとき液室３２１Ａ内の処理液を入れ替えなくても良いから、ノズル孔３２４の洗浄動作から速やかに処理液の噴霧動作に移行できて便利である。
【００７７】
さらに、上述した洗浄動作から処理液の噴霧動作に移行する場合には、キャップ３５１内に貯まった処理液又は洗浄液等を所定の廃液場所へ廃液してから、液体噴射ヘッド拭取り手段の一つである拭取り部材３５７によって、ノズル孔３２４の外側部分に付着している液滴を拭取り、次の処理液の噴霧動作に備える。
【００７８】
また、液体噴射装置３１２のノズル孔３２４をクリーニングする他の手段として、キャップ３５１内に処理液又は洗浄液等を充填しノズル孔３２４部分を処理液又は洗浄液等の中に浸漬した状態で、キャップ３５１内の処理液又は洗浄液等に別途用意した図示しない超音波振動子等で超音波振動を加えて、ノズル孔３２４の孔内に析出している溶質を洗浄して取り除くように構成しても良い。
【００７９】
さらに、ノズル孔３２４を洗浄する際に、キャップ３５１内の処理液若しくは洗浄液等、又は液室３２１Ａ内の処理液等の温度を上げて、析出した溶質がより溶解し易いようにしても良い。
【００８０】
前述のような液体噴射装置３１２は、ノズル孔３２４の部分に析出した溶質Ｙをクリーニングするメンテナンス作業を装置自体が行えるので、メンテナンス作業を自動的に行ってノズル孔３２４の目詰まりを防止する作業の効率を向上できる。
【００８１】
次に、クリーニング処理を終える等して待機状態にある塗布装置３１０の使用を再開する場合には、可変容量ポンプを駆動する。これと共に、液体噴射装置３１２に被せられているキャップ３５１を図示しない待機動作用の駆動装置で取り外して回避位置に移動する。
【００８２】
そして、塗布装置３１０は、液体噴射装置３１２を駆動し、処理液の塗布動作を再開する。
【００８３】
次に、塗布装置３１０の処理液の塗布動作を終了する場合には、液体噴射装置３１２と可変容量ポンプとを停止する。これと共に、回避位置にあるキャップ３５１を図示しない待機動作用の駆動装置で液体噴射装置３１２に被せる。
【００８４】
さらに、塗布装置３１０は、流体回路部の所定の開閉弁を大気に開放することにより、液室３２１Ａ内に空気を入れ、これと入れ替えに液室３２１Ａ内の処理液をメインタンク及びサブタンクに戻す。
【００８５】
これにより、塗布装置３１０は、流体回路部と液室３２１Ａとの中を空にした状態で、次の使用時まで待機する。なお、塗布装置３１０の使用を再開する場合には、前述と同様の操作で動作状態とし、塗布装置３１０の使用を再開する。
【００８６】
次に、上述のように構成された本第１実施の形態に係る塗布装置３１０における液体噴射装置のメンテナンス用制御方法について説明する。この液体噴射装置のメンテナンス用制御方法を実行する制御部は、図２にその要部を例示するように構成する。
【００８７】
この制御部のＣＰＵ（中央処理装置）１００には、ＲＯＭ１０２とＲＡＭ１０４が接続されている。さらに、ＣＰＵ１００には、ドライバ１０６を介して待機動作用の駆動装置１０８を接続し、さらにまたドライバ１１０を介してクリーニング動作用の駆動装置１１２を接続する。
【００８８】
また、ＣＰＵ１００には、入・出力ポート１１４を介して、時間を計測する第１のタイマ１１６、第２のタイマ１１８、第３のタイマ１２０を接続する。これと共に、ＣＰＵ１００には、入・出力ポート１１４を介して、待機状態検出手段１２２と、手操作入力部１２４とをそれぞれ接続して、メンテナンス用制御部の要部を構成する。
【００８９】
次に、上述のように構成された塗布装置３１０に係わるメンテナンス用制御部に関する作用及び制御動作を図１のフローチャートによって説明する。
【００９０】
この塗布装置３１０では、使用者が手操作入力部１２４を操作して装置のメインスイッチがオン操作される以前は、液体噴射装置３１２の液室３２１Ａ内に処理液が充填されておらず空になっている使用前の状態にある。
【００９１】
この状態において、ステップ１３０で、使用者が手操作入力部１２４を操作して装置のメインスイッチがオン操作されるとステップ１３４へ進み、流体回路部を操作して液体噴射装置３１２の液室３２１Ａ内に処理液を充填し、ステップ１３８へ進む。なお、このとき液体噴射装置３１２のノズル孔３２４部分には、キャップ３５１が被さった使用待ちの状態にある。
【００９２】
また、塗布装置３１０が使用前の状態の場合には、ステップ１３０で装置のメインスイッチがオフであると判断されるとステップ１３２へ進み、塗布装置３１０が使用前の状態にあると判断してから、ステップ１３０へ戻ることにより、塗布装置３１０の使用待ちの状態を継続する。
【００９３】
ここで、塗布装置３１０が一旦使用されたときの何れかの状態の場合には、ステップ１３０で使用者が手操作入力部１２４を操作して装置のメインスイッチがオフにされたと判断されると、ステップ１３２へ進み、塗布装置３１０が一旦使用されたときの状態にあると判断して、ステップ１３６へ進み、塗布装置３１０の動作を停止し、この後塗布装置３１０の液室３２１Ａ内から処理液を抜き取る。
【００９４】
これと共に液体噴射装置３１２のノズル孔３２４部分には、キャップ３５１を被せて、使用前の状態に復帰させ、塗布装置３１０に係わるメンテナンス用制御部に関する制御動作を終了する。
【００９５】
次に、塗布装置３１０のメインスイッチがオン操作され、液体噴射装置３１２が使用待ちの状態において、ステップ１３８で使用者が手操作入力部１２４を操作したことによって液体噴射装置３１２の操作入力信号が検出されたと判断されると、ステップ１４０へ進み第１のタイマ１１６と第２のタイマ１１８とを初期化しステップ１４２へ進む。
【００９６】
ステップ１４２では、待機状態か否かを判断し、待機状態でない場合は、ステップ１４４へ進み第３のタイマ１２０が規定時間に達しているか否かを判断する。
【００９７】
そして、ステップ１４４で規定時間に達していないと判断した場合には、ステップ１５２へ進み、キャップ３５１を回避位置に回避動作させてから、液体噴射装置３１２に噴射動作をさせ、感光材料１６に処理液を塗布する動作を開始し、ステップ１５４へ進む。
【００９８】
ステップ１５４では、液体噴射装置３１２を所定時間動作させてから、液体噴射装置３１２の噴射動作を停止し、ステップ１５６へ進んで第１のタイマ１１６と第２のタイマ１１８とのカウントを開始させてステップ１５８へ進む。
【００９９】
次に、ステップ１３８で液体噴射装置３１２の操作入力信号が検出されないと判断された場合は、ステップ１５８へ進む。
【０１００】
ステップ１５８では、第１タイマ１１６が規定時間に達しているか否かを判断する。
【０１０１】
そして、ステップ１５８で規定時間に達していないと判断した場合には、ステップ１３８へ戻る。このようにしてステップ１５８で規定時間に達するまで待ち、ステップ１５８で規定時間に達したと判断するに至ると、ステップ１６０へ進み、第２のタイマ１１８が規定時間に達しているか否かを判断する。
【０１０２】
ここで、ステップ１６０で規定時間に達していないと判断した場合には、ステップ１６２へ進み、待機状態処理を実行してからステップ１３０へ戻る。
【０１０３】
この待機状態処理では、ＣＰＵ１００がドライバ１０６へ信号を送り、待機動作用の駆動装置１０８を駆動することにより、キャップ３５１を液体噴射装置３１２のノズル孔３２４の部分に被せ、さらにキャップ３５１内に処理液を供給し、待機状態検出手段１２２で処理液が適切な量キャップ３５１内に充填されたことを検出した時点で処理液の供給を停止し、ノズル孔３２４部分を処理液に浸漬させる。
【０１０４】
次に、ステップ１４２で塗布装置３１０が待機状態にあることを検出した場合、又はステップ１４４で規定時間に達している（液体噴射装置で液体を噴射する動作が一定時間継続した）と判断した場合には、ステップ１４６へ進み、クリーニング処理を実行する。
【０１０５】
このクリーニング処理では、液体噴射装置３１２の待機状態、すなわちノズル孔３２４部分の一方の側面を液室３２１Ａ内の処理液に浸漬すると共にノズル孔３２４部分の他方の側面をキャップ３５１内の処理液に浸漬させた状態で、ＣＰＵ１００がドライバ１１０へ信号を送ってクリーニング動作用の駆動装置１１２を駆動することにより液体噴射装置３１２の複数の圧電素子３２６を、通常の処理液噴霧時における数１０Ｈｚの周波数、又は数ＫＨｚの周波数で所定時間駆動して洗浄する。
【０１０６】
これによりノズル板３２２は、高い振動数で振動して、ノズル孔３２４の孔内に析出している溶質を処理液又は洗浄液等との抵抗によって洗浄して取り除くことができる。
【０１０７】
また、このステップ１４６のクリーニング処理では、ノズル孔３２４の洗浄動作の後、キャップ３５１内の処理液を排液して拭取り部材３５７でノズル孔３２４の部分を拭った後、キャップ３５１を回避位置に移動して、液体噴射装置３１２を使用可能な状態にし、ステップ１４８へ進む。
【０１０８】
ステップ１４８では、第３のタイマ１２０を初期化してステップ１５０へ進み第３のタイマ１２０のカウント動作を開始させてから、前述したステップ１５２へ進んで液体噴射装置３１２の霧化動作を開始する。
【０１０９】
次に、ステップ１６０で規定時間に達したと判断した場合には、ステップ１６４へ進み、前述したステップ１４６と同等のクリーニング処理を実行して、ステップ１６６へ進み、第２のタイマ１１８を初期化してステップ１６８へ進み第２のタイマ１１８のカウント動作を開始させてから、前述したステップ１６２へ進んで液体噴射装置３１２をクリーニング状態から待機状態へ移行させた後ステップ１３０へ戻るという処理動作を行う。
【０１１０】
上述のような図１のフローチャートに例示する如き塗布装置３１０に係わるメンテナンス用の制御動作を行うことによって、液体噴射装置３１２の液室３２１Ａ内に処理液を充填した状態で液体噴射装置３１２が使用されるまで待つ場合には、液体噴射装置３１２が所定時間（例えば、液体噴射装置３１２のノズル孔３２４が外気と接触することにより乾燥して処理液の溶質が析出し始める時間より短い所定時間）不使用のまま放置されると、待機状態とする。
【０１１１】
この待機状態では、液体噴射装置３１２のノズル孔３２４部分をキャップ３５１で密閉状態にカバーする。さらに、キャップ３５１内に処理液又は洗浄液等を充填してノズル孔３２４部分を処理液又は洗浄液等の中に浸漬する。すなわち、ノズル孔３２４部分の液室３２１Ａに向いた内側から外部に向いた外側に渡って処理液又は洗浄液等が存在し、ノズル孔３２４部分を乾燥しないように保管する。
【０１１２】
次に、待機状態にある液体噴射装置３１２を、処理液を噴射させるために使用状態に移行させるとき、若しくは液体噴射装置３１２の待機状態が所定時間（例えば、処理液に浸漬している状態でノズル孔３２４部分に溶質がくっ付き易くなったり、析出し始める時間より短い所定時間）継続したとき、又は液体噴射装置３１２のノズル孔３２４から処理液を噴射する使用状態が所定時間（例えば、処理液をノズル孔３２４から噴射している状態でノズル孔３２４部分に溶質が析出し始める時間より短い所定時間）継続したときに、クリーニング処理を実行する。
【０１１３】
このクリーニング処理では、液体噴射装置３１２のノズル孔３２４部分をキャップ３５１で密閉状態にカバーし、キャップ３５１内に処理液又は洗浄液等を充填してノズル孔３２４部分を処理液又は洗浄液等の中に浸漬した状態において、液体噴射装置３１２の複数の圧電素子３２６を、通常の処理液噴霧時における数１０Ｈｚの周波数、又は数ＫＨｚの周波数で駆動する。
【０１１４】
これにより、ノズル板３２２の高い振動により、ノズル孔３２４の孔内に析出している溶質を処理液又は洗浄液等との抵抗によって洗浄して取り除けるので、液体噴射装置３１２は、処理液の噴射動作を常に適切に実行できる。
【０１１５】
よって液体噴射装置３１２は、ノズル孔３２４の部分に析出した溶質を洗浄するメンテナンスを自動的に行えるので、例えば、液体噴射装置３１２が薬剤を含む処理液を噴射して塗布する動作が数時間を開けて間欠的に行われるためにノズル孔３２４部分が乾燥されて溶質が析出し易くなる、いわゆる閉散処理に用いられても、逐次メンテナンスを自動的に行ってノズル孔３２４の目詰まりを防止でき、良好な使用状態を維持できる。
【０１１６】
（第２実施の形態）
次に、本発明の液体噴射装置に係わる第２実施の形態につき図１１乃至図１３によって説明する。本第２実施の形態では、キャップ３５１を用いる事無くノズル孔３２４部分を待機状態とし、さらにクリーニング処理可能にする。
【０１１７】
このため本第２実施の形態で用いる液体噴射装置３１２は、そのノズル板３２２の直線状に並ぶノズル孔３２４郡を設けた部分を内側へ向けて断面台形状に凹ませて所定量の液体を貯留可能な洗浄手段（クリーニング手段）の一部としての貯留部３３０を構成する。なお、この洗浄手段の一部としての貯留部３３０は、ノズル板３２２の直線状に並ぶノズル孔３２４郡を設けた部分を囲む一連の壁を廻らせて形成しても良い。
【０１１８】
さらに、この液体噴射装置３１２は、洗浄手段の一部として貯留部３３０内に処理液又は洗浄液等をノズル孔３２４又は別途設けた図示しない注液口若しくは排液口を通じて充填し、さらに排液可能に構成する。
【０１１９】
さらに図１３に示すように、貯留部３３０の長手方向両端部には、それぞれ待機状態となったことを検出する検出手段としての液検出センサ３５９を配置する。この２個の液検出センサ３５９は電極であって、貯留部３３０内が空のときと貯留部３３０内に処理液が充填されたときの電気抵抗値の変化を検出して、待機状態となったことを検出可能に構成されている。なお、この２個の液検出センサ３５９は、処理液が満たされる部分における離れた任意の２箇所に配置して用いることができる。
【０１２０】
また、この液検出センサ３５９は、処理液が満たされる部分に、処理液に浸かると抵抗値が変化するサーミスタタイプのセンサを貼り付けて用いることもできる。
【０１２１】
また、この液体噴射装置３１２は、図１１に示すノズル孔３２４を下方に向けた使用状態と、図１２に示すノズル孔３２４部分を上方に向けて貯留部３３０内に液体を貯留可能な洗浄状態との間を移動操作可能なように、回転支持機構によって回動操作可能に構成されている。
【０１２２】
（液体噴射装置の回転支持機構）
この回転支持機構を構成するため、塗布装置３１０の本体機台側に、大径の外歯歯車の一部として扇形に構成された固定歯車部３６６が固定されている。この固定歯車部３６６の中心には、腕部材３６８の一方の端部が軸ピン３７０で同芯となるよう軸着されている。
【０１２３】
この腕部材３６８の他方の端部には、軸孔３７２が穿孔され、この軸孔３７２に小径の外歯歯車である被動歯車３７４の軸棒３７６が軸着されている。このように腕部材３６８の自由端に軸着された被動歯車３７４は、固定歯車部３６６の外歯歯車上を噛合しながら転動するよう配置されている。
【０１２４】
さらに被動歯車３７４の軸棒３７６は液体噴射装置３１２のフレーム３１４における各封止板３２８を設けた各端部に固着され、被動歯車３７４と液体噴射装置３１２とが一体的に回動するよう構成されている。
【０１２５】
（回転支持機構のカム機構）
また、腕部材３６８を回動操作するための駆動操作手段としてカム機構が配置されている。このカム機構の従動節を構成するため、腕部材３６８の長手方向上側部には、断面逆Ｌ字状に延出する従動側辺３７８が一体に形成されている。
【０１２６】
また、カム機構の原動節として、円板状のカム板の偏心位置に回転駆動軸３８２を固着した板カム３８０が構成され、この板カム３８０はその外周を従動側辺３７８の下面に摺接させるよう配置されている。
【０１２７】
（液体噴射装置の使用状態）
上述のように回転支持機構によって支持された液体噴射装置３１２は、図１１に示す使用状態において、板カム３８０の外周上の回転駆動軸３８２との距離が接近した所定位置で従動側辺３７８に当接して腕部材３６８が支持され、さらに腕部材３６８に軸支された被動歯車３７４が固定歯車部３６６に噛合してその回動が制止されることによって、この使用状態が保持されている。
【０１２８】
（液体噴射装置の洗浄状態）
次に、液体噴射装置３１２のノズル孔３２４部分を洗浄する場合には、この液体噴射装置３１２を上下反転した洗浄状態の姿勢とする。このため、図１１に示す使用状態から図示しない駆動源の出力によって回転駆動軸３８２と一体の板カム３８０を１８０度回動する。
【０１２９】
すると板カム３８０は、その外周を従動側辺３７８に摺接させながら回動し、その外周の回転駆動軸３８２からの距離が大きくなる所定位置で従動側辺３７８に当接し腕部材３６８を支持する状態に至る。この板カム３８０の回動により、腕部材３６８が回動され、固定歯車部３６６に噛合する被動歯車３７４と一体に液体噴射装置３１２が１８０度回動された図１２に示す逆さ向きの洗浄状態の姿勢とされる。
【０１３０】
この図１２に示す洗浄状態の姿勢において、液体噴射装置３１２の貯留部３３０内に処理液（洗浄液、水又は処理液の溶媒等を用いることも可能である。）を充填する場合には、ノズル孔３２４から処理液を流出させ、又は液体噴射装置３１２に設けた図示しない注液口から処理液等を注入し、液検出センサ３５９で処理液が所定量満たされたこと検出するまで充填して満杯とする。
【０１３１】
次に、液体噴射装置３１２のノズル孔３２４部分を洗浄する動作を行う。このノズル孔３２４部分の洗浄動作は、液体噴射装置３１２が逆さに向けられて貯留部３３０内に処理液又は洗浄液等を貯留した状態で、ノズル孔３２４部分を処理液又は洗浄液等の中に浸漬する。これによりノズル孔３２４部分は、その内側と外側とに処理液又は洗浄液等が存在することになる。
【０１３２】
次に、液体噴射装置３１２の複数の圧電素子３２６を、通常の処理液噴霧時における数１０Ｈｚの周波数、又は数ＫＨｚの周波数で駆動して洗浄する。
【０１３３】
すると、ノズル板３２２の高い振動により、ノズル孔３２４の孔内に析出している溶質が処理液又は洗浄液等との抵抗によって洗浄されて取り除かれる。
【０１３４】
なお、液体噴射装置３１２の貯留部３３０の処理液又は洗浄液等に別途用意した図示しない超音波振動子等で超音波振動を加えて、ノズル孔３２４の孔内に析出している溶質を洗浄して取り除くように構成しても良い。
【０１３５】
次に、液体噴射装置３１２の貯留部３３０内に残留している処理液又は洗浄液等をノズル孔３２４から、又は液体噴射装置３１２に設けた図示しない排液口から排液する。
【０１３６】
次に、塗布装置３１０の使用を開始するときには、回転支持機構を前述とは逆に動作させることにより、液体噴射装置３１２を図１２に示す洗浄状態から図１１に示す使用状態の姿勢へ戻す。そして、液体噴射装置３１２は、図示しない液体噴射ヘッド拭取り手段によってノズル孔３２４の外側部分に付着している液滴を拭取られ、次の処理液の噴霧動作に備える。
【０１３７】
また、本第２実施の形態における塗布装置３１０では、前述した図１及び図２に示す液体噴射装置のメンテナンス用制御方法を利用することができる。このメンテナンス用制御方法を利用する場合には、液体噴射装置３１２を処理液の噴霧が可能な使用状態と、ノズル孔３２４部分を上方に向けて貯留部３３０内に液体を貯留可能な洗浄状態との間を移動させる動作を、待機動作用の駆動装置としての回転支持機構によって行わせる。
【０１３８】
また、液体噴射装置３１２の貯留部３３０内に処理液を充填して満杯となったことを待機状態検出手段としての液検出センサ３５９で検出して、待機状態となったことを検知する。
【０１３９】
なお、本第２実施の形態における以上説明した以外の構成、作用、及び効果は前述した第１実施の形態と同様であるので、その説明を省略する。
【０１４０】
（画像形成装置）
次に、前述した第１又は第２実施の形態における塗布装置３１０を利用した画像形成装置の一例を、図１４の概略図により説明する。まず、画像の原稿をスキャナ等で入力し、画像処理して、露光部１８の作動準備を整える。
【０１４１】
次に原稿の画像を感光材料１６に形成する指令が装置本体の図示しない制御部へ入力されると、制御部の指令により給紙部１２が作動され、帯状の感光材料１６が搬送路１４上へ送り出される。このように搬送路１４上へ所定長さ送り出された感光材料１６は、カッタ３８で所定の大きさに切断され露光部１８へ送られる。
【０１４２】
次に露光部１８では、感光材料１６の片面の乳剤面１６Ａ上へ所要の原稿画像を露光してから現像処理部２０へ送る。現像処理部２０では、塗布装置３１０で感光材料１６の乳剤面１６Ａ上に現像用の処理液（現像用の薬剤を溶媒に溶解させた処理液等）を塗布し、所定温度の温間を作る処理温調部３５５の搬送路１４上を搬送する間に現像処理し、余った現像用の処理液をローラ３６７で絞ってから安定化部２４へ送る。
【０１４３】
次に安定化部２４では、感光材料１６の乳剤面１６Ａ上にシャワー装置５２によって安定化液をかけ、搬送路１４上を搬送する間に安定化処理（脱銀処理）した後、絞りローラ５６で感光材料１６に付着した残留安定化液を絞り落とし、洗浄部２５へ送る。
【０１４４】
洗浄部２５では、感光材料１６の乳剤面１６Ａをシャワー装置５８によって水洗して薬剤成分を除去した後、絞りローラ６０で感光材料１６に付着した水洗水を絞り落としてから感光材料１６を乾燥部２６へ送る。
【０１４５】
乾燥部２６では、搬送路１４上の所定範囲をカバー部材６４で覆い、このカバー部材６４の内部で温風を感光材料１６の乳剤面１６Ａ上に吹き付けて乾燥させ、かつ所定温度に加熱したヒートローラ６６を感光材料１６に転接させて乾燥させながら搬送路１４上を搬送する間に乾燥する。そして、乾燥した感光材料１６を、画像が形成された完成品として排出口から受け皿上へ送出し画像形成処理の一連の制御動作を完了する。
【０１４６】
このような塗布装置３１０は、感光材料１６の表面に非接触で微量の処理液を均等に素早く塗布できるので、画像形成装置に用いて好適である。
【０１４７】
なお、この塗布装置３１０は、現像機における印画紙への現像液の塗布、印刷機の浸し水の塗布、塗工機等へ応用することができる。
【０１４８】
【発明の効果】
以上説明したように本発明の液体噴射装置によれば、ノズル孔が塞がらないようにするメンテナンス動作を必要時に自動的に実行することにより液体噴射装置で液体を噴射する動作を常に適切に実行可能な状態を維持できるから、液体噴射装置で閉散処理を行うような場合でも、メンテナンスの行き届いた液体噴射装置で良好に処理液の塗布を実行できるという効果を有する。
【図面の簡単な説明】
【図１】本発明の液体噴射装置のメンテナンス用制御方法に係わるフローチャートである。
【図２】本発明の液体噴射装置のメンテナンス用制御方法を実行する制御部の要部を例示するブロック図である。
【図３】本発明の液体噴射装置のメンテナンス用制御方法を実行する第１実施の形態の液体噴射装置におけるキャップを外した使用状態を示す概略斜視図である。
【図４】本発明の液体噴射装置のメンテナンス用制御方法を実行する第１実施の形態の液体噴射装置におけるキャップを嵌めた待機状態を示す概略斜視図である。
【図５】本発明の液体噴射装置のメンテナンス用制御方法を実行する第１実施の形態の液体噴射装置を取り出して示す斜視図である。
【図６】本発明の液体噴射装置のメンテナンス用制御方法を実行する第１実施の形態に係わる液体噴射装置の下を感光材料が搬送される状態を示す底面図である。
【図７】本発明の液体噴射装置のメンテナンス用制御方法を実行する第１実施の形態に係わる液体噴射装置の図６のＶＩＩ−ＶＩＩ線による断面図である。
【図８】本発明の液体噴射装置のメンテナンス用制御方法を実行する第１実施の形態に係わる液体噴射装置から処理液を噴射する状態を図７に対応した断面で示す断面図である。
【図９】本発明の液体噴射装置のメンテナンス用制御方法を実行する第１実施の形態に係わる液体噴射装置のノズル板のノズル孔部分を断面で示す要部拡大断面斜視図である。
【図１０】本発明の液体噴射装置のメンテナンス用制御方法を実行する第１実施の形態に係わる液体噴射装置のノズル板のノズル孔部分に溶質が析出した状態を断面で示す要部拡大断面斜視図である。
【図１１】本発明の液体噴射装置のメンテナンス用制御方法を実行する第２実施の形態に係わる液体噴射装置を使用状態に支持した回転支持機構の部分を取り出して示す正面図である。
【図１２】本発明の液体噴射装置のメンテナンス用制御方法を実行する第２実施の形態に係わる液体噴射装置を待機状態に支持した図１１に対応する回転支持機構の部分を取り出して示す正面図である。
【図１３】本発明の液体噴射装置のメンテナンス用制御方法を実行する第２実施の形態に係わる液体噴射装置を取り出して示す斜視図である。
【図１４】本発明の液体噴射装置のメンテナンス用制御方法を実行する第１又は第２実施の形態に係る液体噴射装置を利用した画像形成装置を例示する概略説明図である。
【図１５】従来の画像形成用処理液の塗布装置における使用状態を例示する概略構成図である。
【図１６】従来の画像形成装置に設けたノズル孔部分を取り出して示す要部正面である。
【符号の説明】
１６ 感光材料
１００    ＣＰＵ
１０８    待機動作用の駆動装置
１１２    クリーニング動作用の駆動装置
１１６    第１のタイマ
１１８    第２のタイマ
１２０    第３のタイマ
１２２    待機状態検出手段
１２４    手操作入力部
３１０    塗布装置
３１２    液体噴射装置
３２１Ａ  液室
３２２    ノズル板
３２４    ノズル孔
３２６    圧電素子
３３０    貯留部
３５１    キャップ
３５３    密閉パッキン
３５７    拭取り部材
３５９    液検出センサ
【図１】
0004210028.tif 000002
【図２】
0004210028.tif 000003
【図３】
0004210028.tif 000004
【図４】
0004210028.tif 000005
【図５】
0004210028.tif 000006
【図６】
0004210028.tif 000007
【図７】
0004210028.tif 000008
【図８】
0004210028.tif 000009
【図９】
0004210028.tif 000010
【図１０】
0004210028.tif 000011
【図１１】
0004210028.tif 000012
【図１２】
0004210028.tif 000013
【図１３】
0004210028.tif 000014
【図１４】
0004210028.tif 000015
【図１５】
0004210028.tif 000016
【図１６】
0004210028.tif 000017